(57)【要約】【課題】本発明は燃料供給終了後に釣り銭の有無あるいは釣り銭の払い出しを確認できることを課題とする。【解決手段】燃料供給システム１０の燃料供給装置１６は、自動支払い機２８に紙幣が挿入されると、紙幣を鑑別して紙幣金額を入金金額として登録し、給液が終了すると、入金金額及び給液金額を含む給液情報を管理コンピュータ２０に転送する。管理コンピュータ２０は、入金金額から給液金額を差し引いて釣り銭の有る場合には、釣り銭に有無に応じたデータ（情報）を当該燃料供給装置１６に出力する。そして、顧客は、燃料供給装置１６から領収書が発行された場合には釣り銭が無いものと判断して給液所が退出する。また、燃料供給装置１６から預かり書が発行された場合には、顧客は、釣り銭があるものと判断して預かり書を釣り銭機１４へ挿入して釣り銭の払い出しを受ける。【選択図】    図１
2004231264.tif 000002
【特許請求の範囲】
【請求項１】
被供給体への燃料の供給に先立って、貨幣が入金される入金機と、
該入金機に貨幣が入金されたことを条件に前記被供給体へ燃料を供給する燃料供給機と、
伝票を発行するための伝票発行機と、
前記燃料供給機で燃料供給が停止した後、前記入金金額から燃料供給量に対応する燃料供給金額を差し引くことにより釣り銭金額を演算する釣り銭金額演算手段と、
前記釣り銭金額演算手段による演算の結果、釣り銭金額がある場合に前記伝票発行機より預かり書を発行し、また、釣り銭金額がない場合に燃料の供給量・供給金額からなる供給情報が印字された領収書を前記伝票発行機より発行する伝票発行制御手段と、
を備えたことを特徴とする燃料供給システム。
【請求項２】
前記預かり書に印刷された当該預かり書を特定するための特定データを読み取る預かり書読み取り手段と、
該預かり書読み取り手段により読み取られた預かり書に対応する釣り銭金額を支払うと共に、前記供給情報が印刷された領収書を発行する釣り銭機と、
を備えたことを特徴とする請求項１記載の燃料供給システム。
【発明の詳細な説明】
【０００１】
【発明の属する技術分野】
本発明は燃料供給システムに係り、特にセルフサービス方式の燃料供給機を用いて車両の燃料タンクに燃料を供給するよう構成した燃料供給システムに関する。
【０００２】
【従来の技術】
例えば、ガソリンや軽油等の油液を車両の燃料タンクに供給する燃料供給システムを例に挙げて以下説明する。
【０００３】
燃料供給機としてセルフサービス方式の計量機が設置された給液所等では、顧客（運転者）自身が給液モードの設定、給液作業、給液料金の精算を行うようになっている。そのため、顧客（運転者）は、給液料金の精算方法（現金支払いまたはクレジットカード支払い）を指定した後、給液を行う前に給液する油種や給液量等のスイッチを有する設定器により所定の油種、給液量または給液金額を入力する設定操作を行った後、給液操作を行うようになっている。
【０００４】
また、セルフサービス方式の計量機に給液量または給液金額の設定を行う設定器及び紙幣が入金される自動支払機が設けられている所謂アイランド精算方式の場合には、給液場所で給液料金の精算を行うことができる。この自動支払機は、紙幣挿入部及び紙幣収容部が設けられ、挿入された紙幣の種類を鑑別する紙幣鑑別部と、挿入された紙幣金額（入金金額）を表示する表示部とを有する。
そして、アイランド精算方式の燃料供給システムでは、給液前に予め給液量または給液金額をプリセットする場合、顧客（運転者）は、まず自動支払機に紙幣（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、計量機が給液可能状態になる。
【０００５】
給液終了後、入金金額から給液量に応じた給液金額と消費税とを合計した金額を差し引いて釣り銭金額を算出する。顧客（運転者）は、当該自動支払機から発行された領収書と伝票番号を示すバーコードが印字された釣り銭伝票を受け取り、釣り銭機の設置場所へ移動する。そして、顧客（運転者）は、この釣り銭伝票を釣り銭機の伝票読み取り機に挿入する。釣り銭機では、釣り銭伝票に印刷された伝票番号を示すバーコードを読み取って計量機番号を認識し、当該計量機に対応する釣り銭金額を払い出す（例えば、特許文献１参照）。
【０００６】
【特許文献１】
特開２００２−２８９４号公報
【０００７】
【発明が解決しようとする課題】
しかしながら、上記従来の燃料供給システムでは、計量機で給液が終了すると、上記領収書と釣り銭伝票とが発行されるため、顧客の中には、領収書をみて釣り銭がないものと勘違いする場合があり、本来釣り銭があるのに釣り銭を受け取らずに給液所を退出してしまうという問題があった。
【０００８】
また、従来の燃料供給システムにおいては、顧客から釣り銭を受け取らず給液所を出たが、後で気が付いたので、釣り銭を受け取りに来た場合には、給液所の係員に領収書を見せても、領収書から顧客が釣り銭を受け取ったかどうかまで確認できないという問題があった。
【０００９】
そこで、本発明は上記課題を解決した燃料供給システムを提供することを目的とする。
【００１０】
【課題を解決するための手段】
本発明は上記課題を解決するため、以下のような特徴を有する。
上記請求項１記載の発明は、被供給体への燃料の供給に先立って、貨幣が入金される入金機と、入金機に貨幣が入金されたことを条件に前記被供給体へ燃料を供給する燃料供給機と、伝票を発行するための伝票発行機と、燃料供給機で燃料供給が停止した後、入金金額から燃料供給量に対応する燃料供給金額を差し引くことにより釣り銭金額を演算する釣り銭金額演算手段と、釣り銭金額演算手段による演算の結果、釣り銭金額がある場合に伝票発行機より預かり書を発行し、また、釣り銭金額がない場合に燃料の供給量・供給金額からなる供給情報が印字された領収書を伝票発行機より発行する伝票発行制御手段と、を備えたものであり、燃料を供給した後で釣り銭有りの場合には預かり書のみが発行されるので、顧客が釣り銭無しと勘違いすることがなくなり、釣り銭を確実に受け取ることが可能になる。
【００１１】
上記請求項２記載の発明は、預かり書に印刷された当該預かり書を特定するための特定データを読み取る預かり書読み取り手段と、預かり書読み取り手段により読み取られた預かり書に対応する釣り銭金額を支払うと共に、供給情報が印刷された領収書を発行する釣り銭機と、を備えたものであり、顧客が預かり書を所持していれば釣り銭を受け取らずに給液所を出た後でも釣り銭を受け取っていないことを確認することが可能になる。また、顧客が領収書を所持している場合には、釣り銭を受け取ったことを確認することが可能になる。
【００１２】
【発明の実施の形態】
以下、図面と共に本発明の実施の形態について説明する。
図１は本発明になる燃料供給システムの一実施例の構成図である。
図１に示されるように、燃料供給システム１０は、給液エリア１２に設置された釣り銭機１４と、複数の燃料供給装置１６（１６１〜１６ｎ）と、事務所１８内に設置された管理コンピュータ２０と、管理コンピュータ２０に接続されたＰＯＳ本体２１とを有する。管理コンピュータ２０は、モニタ２０ａに各燃料供給装置１６（１６１〜１６ｎ）の動作状態を表示している。釣り銭機１４は、例えば、給液作業終了後に入金金額と給液金額との差額（釣り銭）を支払うための装置であり、係員の釣り銭補充作業を容易にするため、事務所の近傍に設けられている。
【００１３】
管理コンピュータ２０の記憶装置２２には、燃料供給機で燃料供給が停止した後、入金金額から燃料供給量に対応する燃料供給金額を差し引くことにより釣り銭金額を演算する制御プログラム（釣り銭金額演算手段）と、演算の結果、釣り銭金額がある場合に預かり書を発行させ、また、釣り銭金額がない場合に燃料の供給量・供給金額からなる供給情報が印字された領収書を発行させる制御プログラム（伝票発行制御手段）とが格納されている。
【００１４】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介して管理コンピュータ２０と接続されている。
【００１５】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１６】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００１７】
計量機２４の内部には、後述する各給液系統の電磁弁と、給液ポンプと、流量計などの各機器が設けられている。
【００１８】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００１９】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。
【００２０】
また、人検知センサ５０としては、例えば、光センサあるいはイメージセンサなどを用いたものであり、給液操作を行う操作者が設定器２６の前に立ったことを検知してその検知信号を出力する。
【００２１】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２２】
カード挿入部５４は、給液所が発行したプリペイドカード、あるいはクレジットカードを挿入されると、カードに記憶された情報を読み取り、給液が可能かどうかを設定器２６に表示させる。
【００２３】
レシート発行部５６は、給液が終了すると、液種、給液量、給液金額、消費税、合計金額などの給液情報を記載したレシートを発行する。
【００２４】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２５】
図３は燃料供給装置１６の各機器の構成を示すブロック図である。
図３に示されるように、燃料供給装置１６の制御回路６６には、各給液経路に設けられた電磁弁６８、給液ポンプ７０、流量計７２、メモリ８０、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８、レシート発行部５６に設けられたプリンタ８２と接続されている。
【００２６】
燃料供給装置１６に搭載されたプリンタ８２は、後述するように燃料供給が停止した後釣り銭が発生した場合に入金金額から燃料供給量に対応する支払い金額を差し引いた釣り銭金額を記載した預かり書９２を発行し、又は釣り銭無しの場合に燃料の供給量・供給金額からなる供給情報が印字された領収書９０を発行する伝票発行機として機能するものである。
【００２７】
図４は設定器２６のタッチパネル４９に表示される給液開始画面の一例を示す図である。
図４に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）、給液方法の表示領域８４ｆに予め設定された給液方法（プリセット給液または満タン給液）、消費税額の表示領域８４ｇにはゼロ円、単価の表示領域８６ｈには、設定された液種の単価、釣り銭金額の表示領域８４ｉには現在の給液金額に対応した釣り銭金額（この場合、ゼロ円）が表示される。
【００２８】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００２９】
図５は設定器２６のタッチパネル４９に表示される給液終了画面の一例を示す図である。
図５に示されるように、給液終了画面８６は、給液量の表示領域８６ａに３０Ｌ（リットル）を表示し、税込金額の表示領域８６ｂに２９９３円を表示する。さらに、給液終了画面８６では、支払方法の表示領域８６ｃに現金、入金金額の表示領域８６ｄに入金された金額（例えば、５０００円）、液種の表示領域８６ｅに予め設定された液種（例えば、レギュラー）及び単価（例えば、９５円）、給液方法の表示領域８６ｆに予め設定された給液方法（例えば、満タン給液）、消費税額の表示領域８４ｇには給液１４３円、単価の表示領域８６ｈには、設定された液種の単価（例えば、レギュラーの場合、９５円／Ｌ）、釣り銭金額の表示領域８４ｉに２００７円が表示される。また、表示領域８４ｉの下方には、確認釦（操作部）８８が表示される。
【００３０】
このように、給液終了画面８６では、入金金額（５千円）から給液量に対応する給液金額と消費税の合計（２９９３円）を減算した釣り銭金額（２００７円）が表示されるので、顧客（運転者）は釣り銭金額をその場で確認することができる。そのため、給液終了後に釣り銭機１４へ移動して釣り銭を受けることができ、釣り銭を忘れることが防止される。
【００３１】
さらに、プリセット給液を行っている給液途中において、給液ノズル６０の液面検知機構（図示せず）により液面検知されて自動閉弁機構（図示せず）が作動した場合でも、プリセット値（設定量）が給液されていないので、顧客（運転者）は、釣り銭があることを確認できる。
【００３２】
図６は給液終了後に発行されるレシートの印字例を示す図であり、（Ａ）は釣り銭が無い場合に発行される領収書の一例を示す図、（Ｂ）は釣り銭が有る場合に発行される預かり書９２の一例を示す図、（Ｃ）は釣り銭機から発行される領収書の一例を示す図である。
図６（Ａ）に示されるように、給液終了後、釣り銭が無い場合には、レシート発行部５６のプリンタ８２から領収書９０が発行される。
【００３３】
釣り銭が無い場合に発行される領収書９０には、店名（例えば、○○○ＳＳ）９０ａ、電話番号９０ｂ、発行年月日・時間９０ｃ、伝票番号９０ｄ、給液された液種（例えば、ハイオク）９０ｅ、単価（例えば、１００円／Ｌ）９０ｆ、給液金額（例えば、９５２４円）９０ｇ、消費税（例えば、４７６円）９０ｈ、合計金額（例えば、１００００円）９０ｉ、入金金額（例えば、１００００円）９０ｊ、釣り銭金額（この場合釣り銭無しなので０円）９０ｋなどが印字される。
【００３４】
図６（Ｂ）に示されるように、給液終了後、釣り銭が有る場合には、レシート発行部５６のプリンタ８２から預かり書（釣り銭伝票）９２が発行される。
【００３５】
釣り銭が有る場合に発行される預かり書９２には、店名（例えば、○○○ＳＳ）９２ａ、顧客へのメッセージ（例えば、この預り証を用いてつり銭機でつり銭をお受け取りください）９２ｂ、釣り銭金額（例えば、６８５０円）９２ｃ、伝票番号を識別するための特定データとしてのバーコード９２ｄなどが印字される。
【００３６】
図６（Ｃ）に示されるように、釣り銭１４で釣り銭を受け取った後、給液情報及び釣り銭金額が記載された領収書９４が釣り銭１４から発行される。
【００３７】
領収書９４には、店名（例えば、○○○ＳＳ）９４ａ、電話番号９４ｂ、発行年月日・時間９４ｃ、伝票番号９４ｄ、給液された液種（例えば、ハイオク）９４ｅ、単価（例えば、１００円／Ｌ）９４ｆ、給液金額（例えば、３０００円）９４ｇ、消費税（例えば、１５０円）９４ｈ、合計金額（例えば、３１５０円）９４ｉ、入金金額（例えば、１００００円）９４ｊ、釣り銭金額（６８５０円）９４ｋなどが印字される。
【００３８】
図７は釣り銭機１４の構成を示す正面図である。
図７に示されるように、釣り銭機１４は、給液が終了した車両が通過する場所に設置されており、筐体１４ａの前面にインタホン９６、預かり書９２が挿入されるとバーコード（特定データ）９２ｄを読み取るバーコード読み取り機９８、硬貨払い出し口１００、紙幣払い出し口１０２、防犯スピーカ１０４、取扱中表示ランプ１０６、領収書９４を発行する伝票発行機１０８が設けられている。
【００３９】
また、釣り銭機１４は、前述したように、通信回線３０を介して複数の燃料供給装置１６（１６１〜１６ｎ）及び、管理コンピュータ２０と接続されている。そして、釣り銭機１４は、各種硬貨が収納された硬貨払い出し部、各種紙幣が収納された紙幣払い出し部（共に図示せず）と、通信回線３０に接続された通信制御部（図示せず）などが筐体１４ａの内部に設けられている。
【００４０】
ここで、燃料供給装置１６の制御回路６６が実行する制御処理について図８を参照して説明する。尚、燃料供給装置１６の制御回路６６は、予め設定された所定時間ごとに図８に示す処理を繰り返す。
図８に示されるように、燃料供給装置１６の制御回路６６は、ステップＳ１１（以下「ステップ」を省略する）において、自動支払機２８に設けられた紙幣鑑別部７６に紙幣が挿入されると、Ｓ１２に進み、挿入された紙幣の金額を鑑別し、鑑別結果を入金金額としてタッチパネル４９に表示させる。
【００４１】
次のＳ１３では、設定器２６のタッチパネル４９による設定操作が終了して操作者が給液ノズル６０をノズル掛け６２から外したかどうかをチェックする。このＳ１３において、ノズル掛け６２に設けられたノズルスイッチ７４がオフに切り替わると、給液ノズル６０がノズル掛け６２から外されたものと判断してＳ１４に進む。
【００４２】
Ｓ１４では、管理コンピュータ２０に対して給液要求信号を出力する。続いて、Ｓ１５に進み、管理コンピュータ２０から給液許可信号が入力されたかどうかをチェックする。このＳ１５において、管理コンピュータ２０から給液許可信号が入力されると、Ｓ１６に進み、給液ポンプ７０のモータを起動させて給液準備を完了する。
【００４３】
この後、操作者は、給液ノズル６０を車両の燃料タンクに挿入した状態で給液ノズル６０のノズルレバー（図示せず）を開弁位置に操作して給液を開始する。次のＳ１７では、給液が開始されると共に、流量計７２により給液量が計測され、この流量計測値に基づいて実給液量（流量積算値）、給液金額、給液された液種の単価をタッチパネル４９に表示する（図５を参照）。
【００４４】
次のＳ１８では、操作者が給液ノズル６０をノズル掛け６２に戻したかどうかをチェックする。このＳ１８において、ノズル掛け６２に設けられたノズルスイッチ７４がオンに切り替わると、給液ノズル６０がノズル掛け６２に戻されたものと判断してＳ１９に進む。
【００４５】
Ｓ１９では、ノズルスイッチ７４がオンに切り替わることにより今回の給液が終了したものと判断してポンプ駆動信号の出力を停止させる。これにより、給液ポンプ７０は、停止状態になり、給液ノズル６０への送液を停止させる。次のＳ２０では、自動支払機２８に挿入された紙幣の入金金額、及び給液終了後の実給液データ（流量積算値、給液金額、液種単価等の情報）を管理コンピュータ２０に出力する。
【００４６】
続いて、Ｓ２１に進み、管理コンピュータ２０から今回の給液データに付与された伝票番号が入力されたかどうかをチェックする。上記Ｓ２１において、伝票番号が入力されないときは、Ｓ２２に進み、上記実給液データ（流量積算値、給液金額、液種単価等の情報）を含む給液情報が入力されたかどうかをチェックする。Ｓ２２において、給液情報が入力されないときは、上記Ｓ２１に戻り、Ｓ２１，Ｓ２２の処理を繰り返す。
【００４７】
尚、管理コンピュータ２０は、入金金額から給液金額及び消費税を差し引いた釣り銭金額がゼロの場合には、給液情報を出力し、釣り銭金額が１円以上の場合には、伝票番号のみを出力する。
【００４８】
上記Ｓ２１において、伝票番号が入力されたときは、釣り銭があるので、Ｓ２３に進み、釣り銭が有る場合には、レシート発行部５６のプリンタ８２から預かり書９２（図６（Ｂ）を参照）を発行する（伝票発行制御手段）。
【００４９】
また、Ｓ２２において、給液情報が入力されたときは、釣り銭が無いので、Ｓ２４に進み、レシート発行部５６のプリンタ８２から領収書９０（図６（Ａ）を参照）を発行する（伝票発行制御手段）。これで、燃料供給装置１６における一連の給液制御処理が終了する。
【００５０】
ここで、釣り銭機１４の制御回路（図示せず）が実行する制御処理について説明する。
図９は釣り銭機１４の制御回路（図示せず）が実行する制御処理を説明するためのフローチャートである。尚、釣り銭機１４の制御回路（図示せず）は、予め設定された所定時間ごとに図９に示す処理を繰り返す。
【００５１】
図９に示されるように、釣り銭機１４の制御回路は、Ｓ３１において、預かり書９２がレシート読み取り機（預かり書読み取り手段）９８（図７参照）に挿入されたかどうかをチェックする。Ｓ３１において、預かり書９２がレシート読み取り機９８に挿入されると、Ｓ３２に進み、預かり書９２に印刷されたバーコード９２ｄ（特定データ）のパターンを読み取り、バーコード９２ｄに対応する伝票番号を管理コンピュータ２０に出力する。
【００５２】
次のＳ３３では、伝票番号に対応する給液情報（流量積算値、給液金額、液種単価等の情報）が入力されたかどうかをチェックする。Ｓ３３において、伝票番号に対応する給液情報が入力されたときは、Ｓ３４に進み、当該伝票番号に対応する釣り銭金額を硬貨払い出し口１００、紙幣払い出し口１０２から排出する。これで、顧客は、釣り銭を受け取ることができる。
【００５３】
次のＳ３５では、釣り銭が払い出された後、給液情報（流量積算値、給液金額、液種単価等の情報）及び釣り銭金額が印字された領収書９４を発行する（図６（Ｃ）を参照）。続いて、Ｓ３６に進み、釣り銭排出済みを示す情報コードを管理コンピュータ２０に出力する。これで、釣り銭機１４の支払い制御処理が終了する。
【００５４】
ここで、管理コンピュータ２０が実行する制御処理について説明する。
図１０は管理コンピュータ２０が実行するメイン制御処理を説明するためのフローチャートである。尚、管理コンピュータ２０は、予め設定された所定時間ごとに図１０に示す処理を繰り返す。
図１０に示されるように、管理コンピュータ２０は、Ｓ４１で燃料供給装置１６から入金金額及び実給液データ（流量積算値、給液金額、液種単価等の情報）が入力されたかどうかをチェックする。Ｓ４１において、燃料供給装置１６から実給液データが入力されないときは、Ｓ４２に進み、釣り銭機１４から伝票番号が入力されたかどうかをチェックする。Ｓ４２において、釣り銭機１４から伝票番号が入力されないときは、Ｓ４３に進み、釣り銭機１４から釣り銭排出済みコードが入力されたかどうかをチェックする。
【００５５】
また、Ｓ４３において、釣り銭機１４から釣り銭排出済みコードが入力されないときは、Ｓ４４に進み、燃料供給装置１６から給液要求信号が入力されたかどうかをチェックする。Ｓ４４において、燃料供給装置１６から給液要求信号が入力されないときは、Ｓ４５に進み、給液所の係員から給液許可指示が入力されたかどうかをチェックする。そして、Ｓ４５において、給液所の係員から給液許可の指示が入力されないときは、上記Ｓ４１に戻り、Ｓ４１〜Ｓ４５の処理を繰り返す。
【００５６】
また、上記Ｓ４１において、燃料供給装置１６から実給液データが入力されたときは（図８に示すＳ２０の処理に対応する）、Ｓ４６に進み、入金金額から給液金額及び消費税を差し引いて釣り銭金額を演算する（釣り銭金額演算手段）。
【００５７】
続いて、Ｓ４７に進み、釣り銭金額、伝票番号、流量積算値、給液金額、液種単価等を含む給液情報を記憶装置２２に記憶させる。次のＳ４８では、釣り銭金額が１円以上かどうかをチェックする。Ｓ４８において、釣り銭金額が１円未満のときは、釣り銭無しと判断してＳ４９に進み、当該燃料供給装置１６に対して給液情報を出力する（図８に示すＳ２２の処理に対応する）。これで、管理コンピュータ２０が実行する今回の制御処理が終了する。
【００５８】
また、Ｓ４８において、釣り銭金額が１円以上のときは、釣り銭有りと判断してＳ５０に進み、当該燃料供給装置１６に対して伝票番号を出力する（図８に示すＳ２１の処理に対応する）。
【００５９】
また、上記Ｓ４２において、釣り銭機１４から伝票番号が入力されたときは（図９に示すＳ３２の処理に対応する）、Ｓ５１に進み、伝票番号に対応する給液情報を釣り銭機１４に出力する（図９に示すＳ３３の処理に対応する）。これで、管理コンピュータ２０が実行する今回の制御処理が終了する。
【００６０】
また、上記Ｓ４３において、釣り銭機１４から釣り銭排出済みコードが入力されたときは（図９に示すＳ３６の処理に対応する）、Ｓ５２に進み、伝票番号に対応する釣り銭金額を排出済みデータとして記憶装置２２に記憶させる。これで、管理コンピュータ２０が実行する今回の制御処理が終了する。
【００６１】
また、上記Ｓ４４において、燃料供給装置１６から給液要求信号が入力されたときは（図８に示すＳ１４の処理に対応する）、Ｓ５３に進み、給液許可待ち状態であることをモニタ２０ａに表示して給液所の係員に報知する。これで、管理コンピュータ２０が実行する今回の制御処理が終了する。
【００６２】
また、上記Ｓ４５において、給液所の係員から給液許可の指示が入力されたときは、Ｓ５４に進み、現在接続中（通信中）の燃料供給装置１６が燃料供給装置１６１〜１６ｎのうち給液要求中の燃料供給装置１６かどうかをチェックする。
【００６３】
Ｓ５４において、現在接続中（通信中）の燃料供給装置１６が給液要求中の燃料供給装置１６であるときは、Ｓ５５に進み、給液許可信号を当該燃料供給装置１６に出力する（図８に示すＳ１５の処理に対応する）。これで、管理コンピュータ２０が実行する一連の制御処理が終了する。これで、管理コンピュータ２０が実行する今回の制御処理が終了する。
【００６４】
このように、管理コンピュータ２０は、燃料供給装置１６１〜１６ｎ及び釣り銭機１４とデータ通信を行いながら給液情報に基づいて釣り銭の有無を判別し、且つ釣り銭に有無に応じたデータ（情報）を当該燃料供給装置１６に出力する。そして、燃料供給装置１６では、釣り銭が無い場合には、領収書９０を発行し、釣り銭がある場合には預かり書９２を発行する。これにより、給液が終了した顧客は、燃料供給装置１６から領収書９０が発行された場合には釣り銭が無いものと判断して給液所が退出する。
【００６５】
また、燃料供給装置１６から預かり書９２が発行された場合には、領収書ではないので、顧客は、釣り銭があるものと判断して釣り銭機１４へ移動して預かり書９２をレシート読み取り機９８に挿入する。これにより、レシート読み取り機９８が預かり書９２に印刷されたバーコード９２ｄのパターンを読み取り、当該伝票番号に対応する釣り銭が釣り銭機１４から払い出される。
【００６６】
従って、顧客は、従来のように釣り銭金額が印字された領収書が発行されて釣り銭がないものと勘違いすることがなくなる。さらに、顧客が釣り銭を受け取らずに給液所を退出した場合でも、顧客が給液所に戻って預かり書９２を所持していれば、釣り銭を払い出すことが可能になる。また、退出後に戻ってきた顧客が預かり書９２を所持しておらず、領収書９４を所持している場合には釣り銭を受け取ったことが確認され、釣り銭を２回払い出すことが防止される。
【００６７】
尚、上記実施の形態では、預かり書９２に印字されたバーコード９２ｄのパターンを読み取ることで釣り銭を払い出したが、これに限らず、例えば、預かり書９２に印字された釣り銭金額（例えば、６８５０円）９２ｃを直接読み取ることにより釣り銭を払い出すことも可能である。
【００６８】
また、上記実施の形態では、給液終了により発行された預かり書９２を釣り銭機１４に挿入することで釣り銭が払出される場合について説明したが、これに限らず、例えば、預かり書９２を持って給液所の事務所に行くと、事務所の係員が預かり書９２に印字された釣り銭金額（例えば、６８５０円）９２ｃを当該顧客に手渡しすることも可能である。
【００６９】
また、上記実施の形態では、地上設置型の計量機に取り付けられた構成を一例として挙げたが、これに限らず、懸垂式の給液装置にも適用できるのは勿論である。
【００７０】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００７１】
また、上記実施の形態では、ＰＯＳ無しでの商品管理を行っているが、ＰＯＳでの給油システムで実施することも可能である。
【００７２】
また、上記実施の形態では、設定器に流量表示器を兼ねたタッチパネルを設け、計量機に内蔵されている場合を一例として挙げたが、計量機と別の筐体に入っていたり、タッチパネルを持たない押し釦式であっても適用できるのは勿論である。
【００７３】
【発明の効果】
上述の如く、上記請求項１記載の発明によれば、被供給体への燃料の供給に先立って、貨幣が入金される入金機と、入金機に貨幣が入金されたことを条件に前記被供給体へ燃料を供給する燃料供給機と、伝票を発行するための伝票発行機と、燃料供給機で燃料供給が停止した後、入金金額から燃料供給量に対応する燃料供給金額を差し引くことにより釣り銭金額を演算する釣り銭金額演算手段と、釣り銭金額演算手段による演算の結果、釣り銭金額がある場合に伝票発行機より預かり書を発行し、また、釣り銭金額がない場合に燃料の供給量・供給金額からなる供給情報が印字された領収書を伝票発行機より発行する伝票発行制御手段と、を備えたため、燃料を供給した後で釣り銭有りの場合には預かり書のみが発行されるので、顧客が釣り銭無しと勘違いすることがなくなり、釣り銭を確実に受け取ることができる。
【００７４】
上記請求項２記載の発明によれば、預かり書に印刷された当該預かり書を特定するための特定データを読み取る預かり書読み取り手段と、預かり書読み取り手段により読み取られた預かり書に対応する釣り銭金額を支払うと共に、供給情報が印刷された領収書を発行する釣り銭機と、を備えたため、顧客が預かり書を所持していれば釣り銭を受け取らずに給液所を出た後でも釣り銭を受け取っていないことを確認することができる。また、顧客が領収書を所持している場合には、釣り銭を受け取ったことを確認することができる。
【図面の簡単な説明】
【図１】本発明になる燃料供給システムの一実施例の構成図である。
【図２】燃料供給装置１６の正面図である。
【図３】燃料供給装置１６の各機器の構成を示すブロック図である。
【図４】設定器２６のタッチパネル４９に表示される給液開始画面の一例を示す図である。
【図５】設定器２６のタッチパネル４９に表示される給液終了画面の一例を示す図である。
【図６】給液終了後に発行されるレシートの印字例を示す図であり、（Ａ）は釣り銭が無い場合に発行される領収書の一例を示す図、（Ｂ）は釣り銭が有る場合に発行される預かり書９２の一例を示す図、（Ｃ）は釣り銭機から発行される領収書の一例を示す図である。
【図７】釣り銭機１４の構成を示す正面図である。
【図８】燃料供給装置１６の制御回路６６が実行する制御処理を説明するためのフローチャートである。
【図９】釣り銭機１４の制御回路（図示せず）が実行する制御処理を説明するためのフローチャートである。
【図１０】管理コンピュータ２０が実行するメイン制御処理を説明するためのフローチャートである。
【符号の説明】
１０  給液システム
１４  釣り銭機
１６（１６１〜１６ｎ）  燃料供給装置
２０  管理コンピュータ
２０ａ  モニタ
２１  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
９０  レシート
９２  預かり書
９４  領収書
９６  インタホン
９８  バーコード読み取り機
１００  硬貨払い出し口
１０２  紙幣払い出し口
【図１】
2004231264.tif 000003
【図２】
2004231264.tif 000004
【図３】
2004231264.tif 000005
【図４】
2004231264.tif 000006
【図５】
2004231264.tif 000007
【図６】
2004231264.tif 000008
【図７】
2004231264.tif 000009
【図８】
2004231264.tif 000010
【図９】
2004231264.tif 000011
【図１０】
2004231264.tif 000012